(57)【特許請求の範囲】
【請求項１】
アンテナより受信した無線信号より復調されたデジタル復調信号の単位時間あたりの位相差を、タンジェント関数で変換して相関値を算出する相関値算出手段を備え、
前記相関値に基づき速度を検出することを特徴とする速度検出装置。
【請求項２】
アンテナより受信した無線信号より復調されたデジタル復調信号に復調し、前記デジタル復調信号の周波数誤差がなくなるように制御する自動周波数制御手段をさらに備え、
前記相関値算出手段は、前記デジタル復調信号として、前記自動周波数制御手段により制御されるデジタル復調信号を用いる、
ことを特徴とする請求項１記載の速度検出装置。
【請求項３】
前記相関値としきい値とを比較する比較手段と、
前記相関値と前記しきい値との比較結果に応じて、速度状態を判定する速度状態判定手段と、
をさらに有することを特徴とする請求項１または２に記載の速度検出装置。
【請求項４】
前記位相差をコサイン関数で変換して前記相関値を算出する内積相関値算出手段と、
前記内積相関値算出手段によって算出された前記相関値に基づいて、速度状態を判定する内積速度状態判定手段と、
前記相関値算出手段によって算出された前記相関値に基づいて、速度状態を判定する速度状態判定手段と、
前記内積速度状態判定手段によって判定された速度状態と前記速度状態判定手段によって判定された速度状態とに基づいて、前記内積速度状態判定手段と前記速度状態判定手段との一方が判定した速度状態を選択して出力する速度状態選択手段と、
を有することを特徴とする請求項１または２に記載の速度検出装置。
【請求項５】
アンテナより受信した無線信号より復調されたデジタル復調信号の単位時間あたりの位相差を、タンジェント関数で変換して相関値を算出する相関値算出手段を備え、
前記相関値に基づき速度を検出することを特徴とする無線装置。
【発明の詳細な説明】
【技術分野】
【０００１】
本発明は速度検出装置および無線装置に関し、特に通信相手から無線の基準信号を受信し、速度を検出する速度検出装置および無線装置に関する。
【背景技術】
【０００２】
移動通信では、無線端末が静止状態から高速移動状態に移動する過程や都市環境から郊外環境に移行する過程などの動的に変化する様々な環境の中で、安定した通信が必要とされる。特に、複数の伝送路を通った反射波や遅延波をともなうマルチパス環境においては、干渉によりフェージング（瞬時値変動）が発生するため、移動通信ではその対策は不可欠なものとなる。
【０００３】
無線端末では、マルチパスフェージングや移動にともなうレイリーフェージング、ドップラーフェージングなどの対策のため、速度検出機能を有している。この速度検出機能を実現する技術として、基地局から送信されるパイロット信号の内積（ｃｏｓ（Cosine））をとった相関値より、速度域を推定する技術がある。
【０００４】
移動通信では、基地局と同期を同調させるために、自動周波数制御装置（例えば、特許文献１参照）を搭載している。この自動周波数制御装置（Automatic Frequency Control、以下ＡＦＣ）は、以下のような特徴を持っている。
【０００５】
１．低速移動時（静止時を含む）のレイリーフェージングおよびドップラーフェージングには、安定した制御ができる。
２．高速移動時のレイリーフェージングおよびドップラーフェージングには安定した制御ができない。
【０００６】
内積による相関値から速度状態を推定する方法は、内積による相関値の値が１に近い場合、低速状態、相関値が０に近い場合、高速状態にあると判断する。そのため、ＡＦＣの同期同調精度により検出精度が著しく変わってしまう。
【０００７】
内積による相関値とは、パイロット信号の単位時間あたりの位相の変化であるため、ＡＦＣによる追従性能、つまり、ＡＦＣの周波数残差がそのまま内積値として検出されてしまう問題を持っている。
【０００８】
内積による相関値、移動速度、およびフェージングは以下のような関係がある。
１１．低速移動時かつレイリーフェージングの場合、ＡＦＣによる周波数残差が少ないため、内積の相関値は１に近くなり低速検出が可能である。
【０００９】
１２．低速移動時かつドップラーフェージングの場合、ＡＦＣはドップラーフェージングに引きずられ追従する。そのため周波数残差は少なくなる。そのため速度にかかわらず内積の相関値は１に近くなり低速検出が可能である。
【００１０】
１３．高速移動時かつレイリーフェージングの場合、ＡＦＣによる周波数残差が大きいため内積の相関値は０に近くなり、高速検出が可能である。
１４．高速移動時かつドップラーフェージングの場合、ＡＦＣはドップラーに引きずられ追従する。そのため、周波数残差は少なくなり、速度にかかわらず内積の相関値は１に近くなり、低速検出となって高速検出が困難になる。
【特許文献１】特開２０００−７７９８０号公報
【発明の開示】
【発明が解決しようとする課題】
【００１１】
しかし、内積による相関値で速度域を推定する方法では、上記１４．で説明したように、ドップラーフェージング環境下における高速検出が困難であるという問題点があった。
本発明はこのような点に鑑みてなされたものであり、適正な速度検出結果を得ることができる速度検出装置および無線装置を提供することを目的とする。
【課題を解決するための手段】
【００１２】
本発明では上記問題を解決するために、図１に示すようなアンテナより受信した無線信号より復調された、通信相手と同期した基準信号をデジタル復調信号に復調し、デジタル復調信号の周波数誤差がなくなるように制御する自動周波数制御装置１と、デジタル復調信号の単位時間あたりの位相差を、位相に比例して単調増加する関数または単調減少する関数で変換して相関値を算出する相関値算出手段２とを備え、相関値に基づき速度を検出することを特徴とする速度検出装置が提供される。
【００１３】
このような速度検出装置によれば、自動周波数制御装置１は、通信相手から受信した基準信号をデジタル復調信号に復調し、周波数誤差がなくなるように制御する。相関値算出手段２は、デジタル復調信号の単位時間あたりの位相差を、位相に比例して単調増加する関数または単調減少する関数で変換して相関値を算出する。これにより、自動周波数制御装置１によってデジタル復調信号の周波数誤差が小さくなっても、大きな値の相関値を得ることが可能となる。
【発明の効果】
【００１４】
本発明の速度検出装置では、デジタル復調信号の単位時間あたりの位相差を、単調増加する関数または単調減少する関数で変換して相関値を算出するようにした。これによって、自動周波数制御装置によってデジタル復調信号の周波数誤差が小さくなっても、大きな値の相関値を得ることが可能となり、適正な速度検出結果を得ることができるようになる。
【発明を実施するための最良の形態】
【００１５】
以下、本発明の原理を図面を参照して詳細に説明する。
図１は、速度検出装置の概要を示した図である。図に示す速度検出装置は、例えば、無線装置に搭載され、無線装置の速度を検出する。速度検出装置は、自動周波数制御装置１および相関値算出手段２を有している。
【００１６】
自動周波数制御装置１は、アンテナより受信した無線信号より復調された、通信相手と同期した基準信号をデジタル復調信号に復調するとともに、デジタル復調信号の周波数誤差がなくなるように制御する。
【００１７】
相関値算出手段２は、自動周波数制御装置１によって制御されるデジタル復調信号の単位時間あたりの位相差を、位相に比例して単調増加する関数または単調減少する関数で変換して相関値を算出する。
【００１８】
このように、デジタル復調信号の単位時間あたりの位相差を、単調増加する関数または単調減少する関数で変換して相関値を算出するようにした。よって、自動周波数制御装置によってデジタル復調信号の周波数誤差が小さくなっても、大きな値の相関値を得ることが可能となり、適正な速度検出結果を得ることができるようになる。
【００１９】
次に、本発明の実施の形態を図面を参照して詳細に説明する。
図２は、速度検出装置を適用した無線システムの構成例を示した図である。図には、携帯電話などの移動可能な端末１０と基地局２０とが示してある。
【００２０】
端末１０と基地局２０は、例えば、Ｗ−ＣＤＭＡ（Wideband Code Division Multiple Access）方式によって無線通信を行っている。端末１０は、例えば、アンテナから受信した基地局２０からの無線信号を復調してＣＰＩＣＨ（Common Pilot Channel）のパイロット信号（基準信号）を得る。端末１０は、パイロット信号を基に基地局と同期をとり、無線データの復調処理等を行う。
【００２１】
端末１０は、基地局２０との同期を同調させるためにＡＦＣを搭載している。ここで、端末１０に搭載されるＡＦＣについて詳細に説明する。
図３は、ＡＦＣのブロック構成図である。図に示すようにＡＦＣは、ミキサ（周波数変換部）３１、復調器３２、発振器制御部３３、および発振器３４を有している。
【００２２】
ミキサ３１には、前述のパイロット信号と、発振器３４から所定の周波数をもった周波数信号とが入力される。ミキサ３１は、パイロット信号と周波数信号とをミキシングすることにより、パイロット信号を所定の周波数のパイロット信号に変換する。
【００２３】
復調器３２は、ミキサ３１から出力されるパイロット信号を復調し、デジタル復調信号Ｉ，Ｑ（以下、復調パイロット信号）を出力する。なお、復調パイロット信号は、以下で説明する速度検出回路に出力される。
【００２４】
発振器制御部３３は、ある時間内における復調パイロット信号の周波数ずれ（周波数誤差）を検出し、その周波数誤差がなくなるように発振器３４の発振周波数を制御（フィードバック制御）する。
【００２５】
発振器３４は、発振器制御部３３の制御によって、ミキサ３１に出力する周波数信号の周波数を変更する。
次に、ドップラーフェージングとレイリーフェージングにおけるＡＦＣの動作について説明する。まず、ドップラーフェージングにおけるＡＦＣの動作について説明する。
【００２６】
図４は、ドップラーフェージングにおけるＡＦＣの動作を説明する図である。図に示すｆ０は、端末１０が停止しているときの復調パイロット信号の周波数を示している。復調パイロット信号の周波数ｆ０は、端末１０の移動によるドップラーフェージングによって、図に示す周波数ｆ１に変わったとする。ＡＦＣは、復調パイロット信号の周波数がｆ０からｆ１になるように制御する。
【００２７】
なお、端末１０の移動する速度が大きくなるほど、図の周波数ｆ０とｆ１との距離が大きくなる。
また、復調パイロット信号の実際の周波数ｆ１と、ＡＦＣの制御途中における復調パイロット信号の周波数（図中ｆｎ）との差を周波数残差と呼ぶ。
【００２８】
次に、レイリーフェージングにおけるＡＦＣの動作について説明する。
図５は、レイリーフェージングにおけるＡＦＣの動作を説明する図である。図に示すｆ０は、端末１０が停止しているときの復調パイロット信号の周波数を示している。復調パイロット信号の周波数ｆ０は、端末１０の移動によるレイリーフェージングによって、図に示す周波数ｆ１〜ｆ２の分布に変わったとする。
【００２９】
復調パイロット信号の周波数は、レイリーフェージングによって、図に示す周波数ｆ１〜ｆ２の間で変動する。ＡＦＣは、変動する復調パイロット信号の周波数誤差がなくなるように動作する。
【００３０】
なお、端末１０の移動する速度が大きくなるほど、図の周波数ｆ１とｆ２の間の距離が大きくなる。
また、復調パイロット信号の実際の周波数と、ＡＦＣの制御途中における復調パイロット信号の周波数との差を周波数残差と呼ぶ。
【００３１】
図２の説明に戻る。端末１０は、移動に伴うドップラーフェージングやレイリーフェージングの対策のため、速度検出回路を搭載している。特に、端末１０と基地局２０との相対速度が大きいほど速度検出回路の精度は重要となり、例えば、端末１０が新幹線で移動する場合、基地局２０が新幹線の線路の近くにあると、端末１０と基地局２０の相対速度は大きくなり、フェージング対策のための速度検出回路の精度はより重要となる。
【００３２】
速度検出回路は、復調器３２によって復調された復調パイロット信号のｔａｎ（tangent）による相関値を算出し、相関値としきい値とを比較して、端末１０の速度状態を検出する。ここで、速度検出回路の速度検出の原理について説明する。
【００３３】
図６は、速度検出回路の速度検出の原理を説明する図である。図には位相平面が示してある。位相平面上には、時刻ｔｎにおける復調パイロット信号のベクトルＶ１と、時刻ｔｎ＋１（ｔｎ＜ｔｎ＋１）における復調パイロット信号のベクトルＶ２が示してある。なお、ベクトルＶ１，Ｖ２の復調パイロット信号は正規化されており、大きさは１とする。
【００３４】
端末１０が移動すると、ベクトルＶ１，Ｖ２に示すように、復調パイロット信号の位相は変化する。そこで、ベクトルＶ１，Ｖ２のなす角度θのｔａｎによる相関値（単位時間あたりの位相の変化）から、端末１０の移動速度を推定する。
【００３５】
例えば、単位時間（例えば、図中ｔｎ＋１−ｔｎ）あたりの復調パイロット信号の位相の変化（図中θ）が大きければ、ｔａｎによる相関値の値（ｔａｎθ）も大きくなる。一方、単位時間あたりの復調パイロット信号の位相の変化が小さければ、ｔａｎによる相関値は小さくなる。これは、ｔａｎが角度に応じて単調増加する関数であるからである。
【００３６】
そこで、しきい値を設け、ｔａｎによる相関値がしきい値以下であれば、端末１０の移動速度は低速状態と判断でき、ｔａｎによる相関値がしきい値より大きければ、端末１０の移動速度は高速状態と２段階で検出できる。もちろん、多くのしきい値を設ければ、端末１０の移動速度の状態をより細かく検出することができる。
【００３７】
なお、従来技術でも述べたように、従来では、内積による相関値によって、端末１０の移動速度を検出していた。すなわち、図の矢印Ａ１の大きさによって、端末１０の移動速度を検出していた。ここで、内積は、｜Ｖ１｜・｜Ｖ２｜ｃｏｓθで算出され、｜Ｖ１｜，｜Ｖ２｜は１であるので、内積＝ｃｏｓθとなる。従って、相関値が１に近づくほど（矢印Ａ１の大きさが１に近づくほど）、端末１０の移動速度は小さいと判断でき、相関値が０に近づくほど（矢印Ａ１の大きさが０に近づくほど）、端末１０の移動速度は大きいと判断できる。
【００３８】
次に、ＡＦＣの周波数残差による、内積による相関値の速度検出の影響について説明する。以下では、低速移動時かつレイリーフェージング下における影響、低速移動時かつドップラーフェージング下における影響、高速移動時かつレイリーフェージング下における影響、高速移動時かつドップラーフェージング下における影響に分けて説明する。まず、低速移動時かつレイリーフェージング下における影響について説明する。
【００３９】
図７は、低速移動時かつレイリーフェージング下における内積による速度検出の影響を説明する図である。図に示す波形Ｗ１は、ＡＦＣの周波数残差と、その内積による相関値との関係を示した図である。波形Ｗ２は、端末１０の低速移動における復調パイロット信号のレイリーフェージングの周波数分布を示した図である。
【００４０】
端末１０が低速移動している場合、レイリーフェージングの周波数分布の幅は小さい。従って、ＡＦＣの周波数残差も小さいものとなる。すなわち、ＡＦＣの周波数残差は、図の矢印Ａ１１の範囲で生じることになる。
【００４１】
このＡＦＣの周波数残差による相関値の変動は、図の矢印Ａ１２となる。すなわち、相関値のＡＦＣの周波数残差による変動は、１近傍に表れることになる。従って、低速移動時かつレイリーフェージング下では、速度検出回路は、適正に低速移動を検出することができる。
【００４２】
次に、低速移動時かつドップラーフェージング下における影響について説明する。
図８は、低速移動時かつドップラーフェージング下における内積による速度検出の影響を説明する図である。図に示す波形Ｗ３は、ＡＦＣの周波数残差と、その内積による相関値との関係を示した図である。波形Ｗ４は、端末１０の低速移動における復調パイロット信号のドップラーフェージングの周波数分布を示した図である。なお、波形Ｗ４の周波数ｆ０は、端末１０の停止時の周波数を示し、周波数ｆ１は、端末１０の低速移動時の周波数を示す。
【００４３】
ドップラーフェージングの場合、ＡＦＣは、図の周波数ｆ０を、周波数ｆ１に引き込む（周波数ｆ０がｆ１になるように制御する）ことになるが、その幅は、低速移動のため小さく、矢印Ａ１３に示す幅となる。この周波数残差による、内積による相関値の変動は、矢印Ａ１４に示すように１の近傍に表れ小さい。従って、速度検出回路は、適正に低速移動を検出することができる。
【００４４】
なお、ＡＦＣが周波数ｆ０を周波数ｆ１に引き込んだ後は、復調パイロット信号の位相差は０となり、相関値は１となる。従って、ＡＦＣが周波数ｆ０を周波数ｆ１に引き込んだ後、速度検出回路は、低速移動を検出することになるが、低速移動時かつドップラーフェージング下では、ＡＦＣの引き込み前の検出結果と結果が一致するため、問題となることはない。つまり、低速移動時かつドップラーフェージング下では、速度検出回路は、適正に低速移動を検出することができる。
【００４５】
次に、高速移動時かつレイリーフェージング下における影響について説明する。
図９は、高速移動時かつレイリーフェージング下における内積による速度検出の影響を説明する図である。図に示す波形Ｗ５は、ＡＦＣの周波数残差と、その内積による相関値との関係を示した図である。波形Ｗ６は、端末１０の高速移動における復調パイロット信号のレイリーフェージングの周波数分布を示した図である。
【００４６】
端末１０が高速移動している場合、図の矢印Ａ１５に示すようにレイリーフェージングの周波数分布の幅は大きくなる。従って、ＡＦＣの周波数残差の幅も大きくなり、これによる相関値の影響は、図の矢印Ａ１６に示すようになる。すなわち、相関値のＡＦＣの周波数残差による変動は、大きくなる。
【００４７】
従って、速度検出回路は、０近傍の相関値を検出することが可能となり、端末１０の高速移動を検出することができる。
次に、高速移動時かつドップラーフェージング下における影響について説明する。
【００４８】
図１０は、高速移動時かつドップラーフェージング下における内積による速度検出の影響を説明する図である。図に示す波形Ｗ７は、ＡＦＣの周波数残差と、その内積による相関値との関係を示した図である。波形Ｗ８は、端末１０の高速移動における復調パイロット信号のドップラーフェージングの周波数分布を示した図である。なお、波形Ｗ８の周波数ｆ０は、端末１０の停止時の周波数を示し、周波数ｆ１は、端末１０の高速移動時の周波数を示す。
【００４９】
ドップラーフェージングの場合、ＡＦＣは、図の周波数ｆ０を、周波数ｆ１に引き込むことになるが、その幅は、高速移動のため大きく矢印Ａ１７に示す幅となる。高速移動時の場合、周波数残差による、内積による相関値の変動は、矢印Ａ１８に示すように大きくなる。
【００５０】
しかし、ＡＦＣが周波数ｆ０を周波数ｆ１に引き込むまでの間は、ＡＦＣの周波数残差は大きく、相関値は、矢印Ａ１９に示すように０に近づくが、引き込み後は、周波数残差がなくなるため、相関値は矢印Ａ２０に示すように１に近づく。従って、端末１０が高速移動しているにも関わらず、速度検出回路は、低速移動を検出してしまう。
【００５１】
そこで、速度検出回路は、ｔａｎによる相関値をとることにより、高速移動時かつドップラーフェージング下においても、適切に高速移動を検出することができる。以下、その理由について説明する。
【００５２】
図１１は、高速移動時かつドップラーフェージング下におけるｔａｎによる速度検出の影響を説明する図である。図に示す波形Ｗ９は、ＡＦＣの周波数残差と、その内積による相関値との関係を示した図である。波形Ｗ１０は、端末１０の高速移動における復調パイロット信号のドップラーフェージングの周波数分布を示した図である。なお、波形Ｗ１０の周波数ｆ０は、端末１０の停止時の周波数を示し、周波数ｆ１は、端末１０の高速移動時の周波数を示す。
【００５３】
ドップラーフェージングの場合、ＡＦＣは、図の周波数ｆ０を、周波数ｆ１に引き込むことになるが、その幅は、高速移動のため大きく矢印Ａ２１に示す幅となる。高速移動時の場合、周波数残差による、ｔａｎによる相関値の変動は矢印Ａ２２に示すように大きくなる。
【００５４】
なお、ｔａｎによる相関値の絶対値は、端末１０が低速移動している場合、小さくなり（０に近づき）、高速移動する場合、大きくなる（＋１または−１に近づく）。
ＡＦＣが周波数ｆ０を周波数ｆ１に引き込むまでの間は、ＡＦＣの周波数残差は大きく、相関値は、矢印Ａ２３に示すように１に近い値となる。引き込み後は、ＡＦＣの周波数残差は０となり、相関値は０となる。
【００５５】
しかし、実際のＡＦＣの制御では、復調パイロット信号の周波数誤差が完全になくなるということはなく、多少の誤差が生じている。特に、端末１０が高速移動している場合、従来技術の２．で説明したように、ＡＦＣは、安定した制御ができず、誤差が生じる。すなわち、ＡＦＣの周波数残差は、引き込み後においても０近傍をふらつく。
【００５６】
ここで、ｔａｎ関数は、単調増加の関数であり、波形Ｗ９に示すように、周波数残差が０近傍においても傾きを有している。従って、周波数残差の０近傍の変動に対して、相関値は大きく変動する（例えば、図中の周波数残差０近傍の変動Δｆに対し、相関値はΔｘ変動する。なお、実際のｔａｎ特性は、もっと急激な変化がある。）。これに対し、内積（ｃｏｓ関数）では、周波数残差が０においては、傾きが０であるので、周波数残差の０近傍の変動に対して、相関値の変動は小さいものとなる。
【００５７】
つまり、ｔａｎによる相関値では、内積による相関値に対し、ドップラーフェージングにおける高速移動の検出が可能となる。
また、ＡＦＣの周波数の引き込み期間中においても（周波数残差の０近傍以外の部分においても）、内積による方法に比べ、相関値の変動量が大きいため、誤判定となる時間を最小限に抑えることができる。
【００５８】
さらに、ｔａｎによる相関値は、正負に変化するため、速度の方向も検出することができる。例えば、周波数残差が正の値をとる場合、ｔａｎによる相関値は正の値をとり、端末１０は、基地局２０に近づいていると判断できる。一方、周波数残差が負の値をとる場合、ｔａｎによる相関値は負の値をとり、端末１０は、基地局２０から離れていっていると判断できる。
【００５９】
なお、端末１０が低速移動しているときの周波数残差は、高速移動時の周波数引き込み後の変動より小さくなる。従って、ｔａｎによる相関値においても、低速移動を検出できるしきい値を設けることによって、端末１０の低速移動も検出することができる。
【００６０】
図１２は、ｔａｎとｃｏｓの波形を示した図である。図の横軸は周波数残差を示し、縦軸は相関値を示す。
図に示すようにｔａｎ関数の周波数残差に対する相関値の変化は、内積（ｃｏｓ関数）の周波数残差に対する相関値の変化より大きい。これによって、速度検出回路は、端末１０が高速状態でも適正に検出することができる。
【００６１】
次に、速度検出回路のブロック構成について説明する。
図１３は、速度検出回路のブロック構成図である。図に示すように速度検出回路は、内積算出部４１、内積判定部４２、ｔａｎ算出部４３、ｔａｎ判定部４４、および判定結果選択出力部４５を有している。
【００６２】
内積算出部４１は、図３で示した復調器３２から復調パイロット信号が入力される。内積算出部４１は、復調パイロット信号の内積による相関値を算出する。
内積判定部４２は、内積算出部４１によって算出された内積による相関値としきい値（０〜１の値をとる）とを比較する。内積判定部４２は、比較結果によって、端末１０の速度状態を判定する。なお、しきい値は、上述したように複数設けてもよい。
【００６３】
ｔａｎ算出部４３は、図３で示した復調器３２から復調パイロット信号が入力される。ｔａｎ算出部４３は、復調パイロット信号のｔａｎによる相関値を算出する。
ｔａｎ判定部４４は、ｔａｎ算出部４３によって算出されたｔａｎによる相関値としきい値（０〜１の値をとる）とを比較する。ｔａｎ判定部４４は、比較結果によって、端末１０の速度状態を判定する。なお、しきい値は、上述したように複数設けてもよい。
【００６４】
判定結果選択出力部４５は、内積判定部４２から出力される判定結果とｔａｎ判定部４４から出力される判定結果とに基づいて一方を選択して出力する。
例えば、判定結果選択出力部４５は、内積判定部４２によって低速移動から中速移動が検出されると、ｔａｎ判定部４４の判定結果を出力するようにする。そして、判定結果選択出力部４５は、ｔａｎ判定部４４によって高速移動から中速移動または中速移動から低速移動が検出されると、内積判定部４２の判定結果を出力するようにする。
【００６５】
これは、端末１０が低速状態にあるとき、内積による相関値は１近傍で安定し、端末１０が高速状態にあるとき、ｔａｎによる相関値はＡＦＣが周波数を引き込んだ後も相関値の変動が大きく、高速状態を検出可能であるからである。
【００６６】
このように、内積判定部４２とｔａｎ判定部４４の判定結果を選択して出力することにより、端末１０の速度を適切に検出することができる。もちろん、端末１０の全速度域において、ｔａｎ判定部４４の判定結果を出力するようにしてもよい。この場合、速度検出回路は、ｔａｎ算出部４３とｔａｎ判定部４４のみで構成される。
【００６７】
次に、内積による相関値での速度検出結果と、ｔａｎによる相関値での速度検出結果について説明する。
図１４は、内積による相関値での速度検出結果とｔａｎによる相関値での速度検出結果とを示した図である。図に示す左側の縦軸は相関値を示す。右側の縦軸は移動速度を示す。横軸は時間を示す。
【００６８】
図の波形Ｗ１１は、例えば、端末１０が新幹線で移動している場合の基地局に対する移動速度を示している。端末１０の移動速度は、図の右側の縦軸で読む。
波形Ｗ１２は、内積による相関値を示している。内積による相関値は、図の左側の縦軸で読む。
【００６９】
波形Ｗ１３は、ｔａｎによる相関値を示している。ｔａｎによる相関値は、図の左側の縦軸で読む。
波形Ｗ１４は、内積による相関値で検出した端末１０の速度状態を示している。
【００７０】
波形Ｗ１５は、ｔａｎによる相関値で検出した端末１０の速度状態を示している。
なお、端末１０の速度状態は、波形Ｗ１４，Ｗ１５に示すように２段階で検出されるものとする。波形Ｗ１４，Ｗ１５のレベルが低い方は、端末１０が低速状態にあることを示し、レベルが高い方は、端末１０が高速状態にあることを示している。
【００７１】
波形Ｗ１１に示すように、端末１０の速度が０ｋｍ／ｈから２４０ｋｍ／ｈに変化したとする。この場合、内積による相関値は、波形Ｗ１２に示すように変化する。これに対し、ｔａｎによる相関値は、波形Ｗ１３に示すように変化する。
【００７２】
波形Ｗ１２，Ｗ１３に示すように、ｔａｎによる相関値は、内積による相関値に比べ、端末１０の移動速度の変化に早く追従している。これは、ｔａｎ関数の周波数残差に対する相関値の変動が、内積（ｃｏｓ関数）の周波数残差に対する相関値の変動が大きいからである。
【００７３】
従って、図中の時間ｔに示すように、ｔａｎによる相関値の速度検出のほうが、内積による相関値の速度検出より速く出力される。
このように、復調パイロット信号のｔａｎによる相関値を算出して、端末１０の速度状態を検出するようにした。これによって、ドップラーフェージング環境下においても、端末１０の高速移動を検出することができる。
【００７４】
なお、上記において、復調パイロット信号から端末１０の速度を検出するようにしたが、基地局２０と同期をとるための信号であれば、復調パイロット信号に限定されない。また、通信方式もＷ−ＣＤＭＡに限定されない。
【００７５】
また、相関値を算出する関数は、ｔａｎの関数に限定されず、位相（復調パイロット信号の位相差）に比例して単調増加する関数または単調減少する関数であればよい。
【図面の簡単な説明】
【００７６】
【図１】速度検出装置の概要を示した図である。
【図２】速度検出装置を適用した無線システムの構成例を示した図である。
【図３】ＡＦＣのブロック構成図である。
【図４】ドップラーフェージングにおけるＡＦＣの動作を説明する図である。
【図５】レイリーフェージングにおけるＡＦＣの動作を説明する図である。
【図６】速度検出回路の速度検出の原理を説明する図である。
【図７】低速移動時かつレイリーフェージング下における内積による速度検出の影響を説明する図である。
【図８】低速移動時かつドップラーフェージング下における内積による速度検出の影響を説明する図である。
【図９】高速移動時かつレイリーフェージング下における内積による速度検出の影響を説明する図である。
【図１０】高速移動時かつドップラーフェージング下における内積による速度検出の影響を説明する図である。
【図１１】高速移動時かつドップラーフェージング下におけるｔａｎによる速度検出の影響を説明する図である。
【図１２】ｔａｎとｃｏｓの波形を示した図である。。
【図１３】速度検出回路のブロック構成図である。
【図１４】内積による相関値での速度検出結果とｔａｎによる相関値での速度検出結果とを示した図である。
【符号の説明】
【００７７】
１  自動周波数制御装置
２  相関値算出手段
【図１】
0004828949.tif 000002
【図２】
0004828949.tif 000003
【図３】
0004828949.tif 000004
【図４】
0004828949.tif 000005
【図５】
0004828949.tif 000006
【図６】
0004828949.tif 000007
【図７】
0004828949.tif 000008
【図８】
0004828949.tif 000009
【図９】
0004828949.tif 000010
【図１０】
0004828949.tif 000011
【図１１】
0004828949.tif 000012
【図１２】
0004828949.tif 000013
【図１３】
0004828949.tif 000014
【図１４】
0004828949.tif 000015